(57)【要約】【課題】ユーザの利便性を高めることができる画像処理装置を得る。【解決手段】本発明の画像処理装置は、モバイル端末から、宛先情報を取得する第１の通信部と、複数の画像処理機能を実行可能な処理部と、宛先情報に基づいて、処理部が実行する画像処理機能を複数の画像処理機能のうちの１つに切り替えるとともに、宛先情報に基づいて、処理部が実行する画像処理機能の設定を行う制御部とを備える。【選択図】図９
2019062349.tif 000002
【特許請求の範囲】
【請求項１】
モバイル端末から、宛先情報を取得する第１の通信部と、
複数の画像処理機能を実行可能な処理部と、
前記宛先情報に基づいて、前記処理部が実行する画像処理機能を前記複数の画像処理機能のうちの１つに切り替えるとともに、前記宛先情報に基づいて、前記処理部が実行する前記画像処理機能の設定を行う制御部と
を備えた画像処理装置。
【請求項２】
前記宛先情報は、第１の種類の宛先データおよび第２の種類の宛先データのうちの一方を含み、
前記複数の画像処理機能は、前記第１の種類に対応する第１の画像処理機能、および前記第２の種類に対応する第２の画像処理機能を含み、
前記制御部は、
前記宛先情報に含まれる前記宛先データが、前記第１の種類の前記宛先データである場合には、前記処理部が実行する前記画像処理機能を前記第１の画像処理機能に切り替え、
前記宛先情報に含まれる前記宛先データが、前記第２の種類の前記宛先データである場合には、前記処理部が実行する前記画像処理機能を前記第２の画像処理機能に切り替える
請求項１に記載の画像処理装置。
【請求項３】
情報を表示する第１の表示部をさらに備え、
前記第１の表示部は、前記処理部が前記第１の画像処理機能を実行する場合には第１の画面を表示し、前記処理部が前記第２の画像処理機能を実行する場合には第２の画面を表示する
請求項２に記載の画像処理装置。
【請求項４】
前記第１の種類の前記宛先データは、電子メールアドレスであり、
前記第２の種類の前記宛先データは、ＦＡＸ番号である
請求項２または請求項３に記載の画像処理装置。
【請求項５】
前記処理部は、画像を読み取ることにより読取データを生成する画像読取部を有し、
前記第１の画像処理機能は、前記電子メールアドレスを用いて前記読取データを送信する機能であり、
前記第２の画像処理機能は、前記ＦＡＸ番号を用いて前記読取データを送信する機能である
請求項２から請求項４のいずれか一項に記載の画像処理装置。
【請求項６】
前記制御部は、前記宛先情報に含まれる前記宛先データに基づいて、前記処理部が実行する前記画像処理機能の宛先設定を行う
請求項２から請求項５のいずれか一項に記載の画像処理装置。
【請求項７】
情報を表示する第１の表示部と、
前記処理部における前記画像処理機能の実行履歴を記録する記録部と
をさらに備え、
前記宛先情報は、さらに、前記宛先データに対応づけられた属性データを含み、
前記第１の表示部は、前記属性データに基づいて、前記画像処理機能の実行を記録する旨を表示する
請求項２から請求項６のいずれか一項に記載の画像処理装置。
【請求項８】
情報を表示する第１の表示部と、
ユーザの操作を受け付ける第１の操作部と
をさらに備え、
前記宛先情報は、第１の種類の複数の宛先データを含み、
前記複数の画像処理機能は、前記第１の種類に対応する第１の画像処理機能を含み、
前記第１の表示部は、前記複数の宛先データのうちの１つを選択するようにユーザに促す表示を行い、
前記制御部は、前記処理部が実行する前記画像処理機能を前記第１の画像処理機能に切り替えるとともに、前記複数の宛先データのうちの選択された宛先データに基づいて、前記処理部が実行する前記第１の画像処理機能の設定を行う
請求項１に記載の画像処理装置。
【請求項９】
前記宛先情報は、前記複数の宛先データに加え、前記複数の宛先データにそれぞれ対応づけられた複数の属性データを含み、
前記第１の表示部は、前記複数の宛先データを一覧表示し、
前記制御部は、前記複数の属性データに応じて、前記第１の表示部における前記複数の宛先データの表示順番を決定する
請求項８に記載の画像処理装置。
【請求項１０】
情報を表示する第１の表示部と、
ユーザの操作を受け付ける第１の操作部と
をさらに備え、
前記宛先情報は、第１の種類の宛先データおよび第２の種類の宛先データを含み、
前記複数の画像処理機能は、前記第１の種類に対応する第１の画像処理機能、および前記第２の種類に対応する第２の画像処理機能を含み、
前記第１の表示部は、前記第１の画像処理機能および前記第２の画像処理機能のうちの１つを選択するようにユーザに促す表示を行い、
前記制御部は、
前記第１の画像処理機能および前記第２の画像処理機能のうちの選択された画像処理機能が前記第１の画像処理機能である場合には、前記処理部が実行する前記画像処理機能を前記第１の画像処理機能に切り替え、
前記選択された画像処理機能が前記第２の画像処理機能である場合には、前記処理部が実行する前記画像処理機能を前記第２の画像処理機能に切り替える
請求項１に記載の画像処理装置。
【請求項１１】
前記第１の通信部は、近距離無線通信により、前記モバイル端末から前記宛先情報を取得する
請求項１から請求項１０のいずれか一項に記載の画像処理装置。
【請求項１２】
モバイル端末から、宛先情報を取得する第１の通信部と、
複数の画像処理機能を実行可能な処理部と、
ユーザの操作を受け付ける第１の操作部と、
前記第１の操作部からの指示に基づいて、前記処理部が実行する画像処理機能を前記複数の画像処理機能のうちの１つに切り替えるとともに、前記宛先情報に基づいて、前記処理部が実行する前記画像処理機能の設定を行う制御部と
を備えた画像処理装置。
【請求項１３】
前記宛先情報は、第１の種類の宛先データおよび第２の種類の宛先データを含み、
前記複数の画像処理機能は、前記第１の種類に対応する第１の画像処理機能、および前記第２の種類に対応する第２の画像処理機能を含み、
前記制御部は、
前記処理部が実行する前記画像処理機能が前記第１の画像処理機能に切り替えられた場合には、前記第１の種類の前記宛先データに基づいて、前記第１の画像処理機能の設定を行い、
前記処理部が実行する前記画像処理機能が前記第２の画像処理機能に切り替えられた場合には、前記第２の種類の前記宛先データに基づいて、前記第２の画像処理機能の設定を行う
請求項１２に記載の画像処理装置。
【請求項１４】
前記宛先情報は、第１の種類の宛先データおよび第２の種類の宛先データのうちの一方を含み、
前記複数の画像処理機能は、前記第１の種類に対応する第１の画像処理機能、および前記第２の種類に対応する第２の画像処理機能を含み、
前記制御部は、
前記処理部が実行する前記画像処理機能が前記第１の画像処理機能に切り替えられた場合において、前記宛先情報に含まれる前記宛先データが、前記第１の種類の前記宛先データである場合には、前記第１の種類の前記宛先データに基づいて、前記第１の画像処理機能の設定を行い、
前記処理部が実行する前記画像処理機能が前記第２の画像処理機能に切り替えられた場合において、前記宛先情報に含まれる前記宛先データが、前記第２の種類の前記宛先データである場合には、前記第２の種類の前記宛先データに基づいて、前記第２の画像処理機能の設定を行う
請求項１２に記載の画像処理装置。
【請求項１５】
情報を表示する第１の表示部と、
ユーザの操作を受け付ける第１の操作部と
をさらに備え、
前記宛先情報は、第１の種類の複数の宛先データを含み、
前記複数の画像処理機能は、前記第１の種類に対応する第１の画像処理機能を含み、
前記第１の表示部は、前記処理部が実行する前記画像処理機能が前記第１の画像処理機能に切り替えられた場合において、前記複数の宛先データのうちの１つを選択するようにユーザに促す表示を行い、
前記制御部は、前記複数の宛先データのうちの選択された宛先データに基づいて、前記処理部が実行する前記画像処理機能の設定を行う
請求項１２に記載の画像処理装置。
【請求項１６】
モバイル端末と、
画像処理装置と
を備え、
前記モバイル端末は、
複数の登録者のそれぞれの連絡先についての情報を含む連絡先リストが記憶された記憶部と、
前記連絡先リストに基づいて宛先情報を生成する情報生成部と、
前記宛先情報を前記画像処理装置に供給する第２の通信部と
を有し、
前記画像処理装置は、
前記モバイル端末から、前記宛先情報を取得する第１の通信部と、
複数の画像処理機能を実行可能な処理部と、
前記宛先情報に基づいて、前記処理部が実行する画像処理機能を前記複数の画像処理機能のうちの１つに切り替えるとともに、前記宛先情報に基づいて、前記処理部が実行する前記画像処理機能の設定を行う制御部と
を有する
画像処理システム。
【請求項１７】
前記モバイル端末は、
情報を表示する第２の表示部と、
ユーザの操作を受け付ける第２の操作部と
を有し、
前記第２の表示部は、前記複数の登録者のうちの１つを選択するようにユーザに促す表示を行い、
前記情報生成部は、前記複数の登録者のうちの選択された登録者に対応する連絡先についての情報に基づいて、前記宛先情報を生成する
請求項１６に記載の画像処理システム。
【請求項１８】
前記連絡先リストにおいて、前記選択された登録者には、第１の種類の複数の宛先データ、および第２の種類の複数の宛先データが前記連絡先として対応づけられ、
前記第２の表示部は、前記第１の種類の前記複数の宛先データ、および前記第２の種類の前記複数の宛先データのうちの１つを選択するようにユーザに促す表示を行い、
前記情報生成部は、前記第１の種類の前記複数の宛先データ、および前記第２の種類の前記複数の宛先データのうちの、選択された宛先データに基づいて、前記宛先情報を生成する
請求項１７に記載の画像処理システム。
【請求項１９】
モバイル端末と、
画像処理装置と
を備え、
前記モバイル端末は、
複数の登録者のそれぞれの連絡先についての情報を含む連絡先リストが記憶された記憶部と、
前記連絡先リストに基づいて宛先情報を生成する情報生成部と、
前記宛先情報を前記画像処理装置に供給する第２の通信部と
を有し、
前記画像処理装置は、
前記モバイル端末から、前記宛先情報を取得する第１の通信部と、
複数の画像処理機能を実行可能な処理部と、
ユーザの操作を受け付ける第１の操作部と、
前記第１の操作部からの指示に基づいて、前記処理部が実行する画像処理機能を前記複数の画像処理機能のうちの１つに切り替えるとともに、前記宛先情報に基づいて、前記処理部が実行する前記画像処理機能の設定を行う制御部と
を有する
画像処理システム。
【発明の詳細な説明】
【技術分野】
【０００１】
本発明は、画像処理を行う画像処理装置、およびそのような画像処理装置を備えた画像処理システムに関する。
【背景技術】
【０００２】
コピー、ＦＡＸ、スキャン、プリントなどの機能を有する、いわゆる多機能周辺装置（ＭＦＰ；Multi  Function Peripheral）には、例えば、登録された宛先リストから宛先を選択し、選択された宛先に、画像データをＦＡＸを用いて送信することができるものがある（例えば、特許文献１）。
【先行技術文献】
【特許文献】
【０００３】
【特許文献１】特開２０１３−２５０６６５号公報
【発明の概要】
【発明が解決しようとする課題】
【０００４】
ところで、一般に、電子機器は、ユーザの利便性が高いことが望まれており、画像処理装置においても、ユーザの利便性が高いことが期待されている。
【０００５】
ユーザの利便性を高めることができる画像処理装置および画像処理システムを提供することが望ましい。
【課題を解決するための手段】
【０００６】
本発明の一実施の形態における第１の画像処理装置は、第１の通信部と、処理部と、制御部とを備えている。第１の通信部は、モバイル端末から、宛先情報を取得するものである。処理部は、複数の画像処理機能を実行可能なものである。制御部は、宛先情報に基づいて、処理部が実行する画像処理機能を複数の画像処理機能のうちの１つに切り替えるとともに、宛先情報に基づいて、処理部が実行する画像処理機能の設定を行うものである。
【０００７】
本発明の一実施の形態における第２の画像処理装置は、第１の通信部と、処理部と、第１の操作部と、制御部とを備えている。第１の通信部は、モバイル端末から、宛先情報を取得するものである。処理部は、複数の画像処理機能を実行可能なものである。第１の操作部は、ユーザの操作を受け付けるものである。制御部は、第１の操作部からの指示に基づいて、処理部が実行する画像処理機能を複数の画像処理機能のうちの１つに切り替えるとともに、宛先情報に基づいて、処理部が実行する画像処理機能の設定を行うものである。
【０００８】
本発明の一実施の形態における第１の画像処理システムは、モバイル端末と、画像処理装置とを備えている。モバイル端末は、記憶部と、情報生成部と、第２の通信部とを有している。記憶部は、複数の登録者のそれぞれの連絡先についての情報を含む連絡先リストが記憶されたものである。情報生成部は、連絡先リストに基づいて宛先情報を生成するものである。第２の通信部は、宛先情報を画像処理装置に供給するものである。画像処理装置は、第１の通信部と、処理部と、制御部とを有している。第１の通信部は、モバイル端末から、宛先情報を取得するものである。処理部は、複数の画像処理機能を実行可能なものである。制御部は、宛先情報に基づいて、処理部が実行する画像処理機能を複数の画像処理機能のうちの１つに切り替えるとともに、宛先情報に基づいて、処理部が実行する画像処理機能の設定を行うものである。
【０００９】
本発明の一実施の形態における第２の画像処理システムは、モバイル端末と、画像処理装置とを備えている。モバイル端末は、記憶部と、情報生成部と、第２の通信部とを有している。記憶部は、複数の登録者のそれぞれの連絡先についての情報を含む連絡先リストが記憶されたものである。情報生成部は、連絡先リストに基づいて宛先情報を生成するものである。第２の通信部は、宛先情報を画像処理装置に供給するものである。画像処理装置は、第１の通信部と、処理部と、第１の操作部と、制御部とを有している。第１の通信部は、モバイル端末から、宛先情報を取得するものである。処理部は、複数の画像処理機能を実行可能なものである。第１の操作部は、ユーザの操作を受け付けるものである。制御部は、第１の操作部からの指示に基づいて、処理部が実行する画像処理機能を複数の画像処理機能のうちの１つに切り替えるとともに、宛先情報に基づいて、処理部が実行する画像処理機能の設定を行うものである。
【発明の効果】
【００１０】
本発明の一実施の形態における第１の画像処理装置、および第１の画像処理システムによれば、宛先情報に基づいて、処理部が実行する画像処理機能を複数の画像処理機能のうちの１つに切り替えるとともに、宛先情報に基づいて、処理部が実行する画像処理機能の設定を行うようにしたので、ユーザの利便性を高めることができる。
【００１１】
本発明の一実施の形態における第２の画像処理装置、および第２の画像処理システムによれば、第１の操作部からの指示に基づいて、処理部が実行する画像処理機能を複数の画像処理機能のうちの１つに切り替えるとともに、宛先情報に基づいて、処理部が実行する画像処理機能の設定を行うようにしたので、ユーザの利便性を高めることができる。
【図面の簡単な説明】
【００１２】
【図１】一実施の形態に係る画像処理システムの一構成例を表すブロック図である。
【図２】図１に示した連絡先リストの一例を表す説明図である。
【図３】図１に示したスマートフォンにおいて実行されるソフトウェアの一構成例を表すブロック図である。
【図４】図１に示した画像処理装置において実行されるソフトウェアの一構成例を表すブロック図である。
【図５】第１の実施の形態に係る画像処理システムの一動作例を表すフローチャートである。
【図６】図１に示したスマートフォンに表示される画面例を表す説明図である。
【図７】図１に示したスマートフォンに表示される他の画面例を表す説明図である。
【図８Ａ】図１に示したスマートフォンに表示される他の画面例を表す説明図である。
【図８Ｂ】図１に示したスマートフォンに表示される他の画面例を表す説明図である。
【図９】第１の実施の形態に係る画像処理システムの一動作例を表す他のフローチャートである。
【図１０】図１に示した画像処理装置に表示される画面例を表す説明図である。
【図１１】図１に示した画像処理装置に表示される他の画面例を表す説明図である。
【図１２】図１に示した画像処理装置に表示される他の画面例を表す説明図である。
【図１３】図１に示した画像処理装置に表示される他の画面例を表す説明図である。
【図１４】図１に示した画像処理装置に表示される他の画面例を表す説明図である。
【図１５】第１の実施の形態の変形例に係る画像処理装置において実行されるソフトウェアの一構成例を表すブロック図である。
【図１６】第１の実施の形態の他の変形例に係る画像処理装置において実行されるソフトウェアの一構成例を表すブロック図である。
【図１７】第１の実施の形態の変形例に係るスマートフォンにおいて実行されるソフトウェアの一構成例を表すブロック図である。
【図１８】第１の実施の形態の他の変形例に係るスマートフォンにおいて実行されるソフトウェアの一構成例を表すブロック図である。
【図１９】第２の実施の形態に係る画像処理装置において実行されるソフトウェアの一構成例を表すブロック図である。
【図２０】第２の実施の形態に係る画像処理システムの一動作例を表すフローチャートである。
【図２１】第２の実施の形態の変形例に係る画像処理装置において実行されるソフトウェアの一構成例を表すブロック図である。
【図２２】第２の実施の形態の変形例に係る画像処理システムの一動作例を表すフローチャートである。
【図２３】第２の実施の形態の変形例に係る画像処理システムの一動作例を表す他のフローチャートである。
【発明を実施するための形態】
【００１３】
以下、本発明の実施の形態について、図面を参照して詳細に説明する。なお、説明は以下の順序で行う。
１．第１の実施の形態
２．第２の実施の形態
【００１４】
＜１．第１の実施の形態＞
［構成例］
図１は、本発明の一実施の形態に係る画像処理システム（画像処理システム１）の一構成例を表すものである。画像処理システム１は、モバイル端末（この例ではスマートフォン）から供給された宛先情報に基づいて、画像処理装置が、例えば画像データをＦＡＸにより送信し、あるいは画像データを電子メールにより送信するものである。画像処理システム１は、スマートフォン１０と、画像処理装置３０とを備えている。
【００１５】
スマートフォン１０は、多機能携帯電話である。スマートフォン１０には、後述するように、連絡先リスト１７Ａが記憶されている。この連絡先リスト１７Ａには、例えば、複数の個人または組織の連絡先についての情報が登録されている。以下では、連絡先リスト１７Ａに登録された個人または組織を、登録者とも呼ぶ。また、スマートフォン１０は、後述するように、画像処理装置３０との間で、近距離無線通信（ＮＦＣ；Near Field Communication）Ｃ１を行う機能をも有している。
【００１６】
画像処理装置３０は、コピー、ＦＡＸ、スキャン、プリント、電子メールの送受信などの機能を有する、いわゆる多機能周辺装置（ＭＦＰ；Multi  Function Peripheral）である。特に、この例では、画像処理装置３０は、紙などの読取媒体に記録された情報を読み取ることにより画像データを生成し、この画像データを電子メールを用いて送信する機能（ScanToEmail機能）、およびこの画像データをＦＡＸを用いて送信する機能（ScanToFAX機能）を有している。また、画像処理装置３０は、後述するように、スマートフォン１０との間で、近距離無線通信Ｃ１を行う機能をも有している。
【００１７】
画像処理システム１では、例えば、スマートフォン１０のユーザがスマートフォン１０を操作することにより、スマートフォン１０に記憶された連絡先リスト１７Ａから、連絡先リスト１７Ａに登録された複数の登録者のうちの一人の登録者を選択する。そして、スマートフォン１０のユーザが、このスマートフォン１０を、画像処理装置３０にかざすことにより、近距離無線通信Ｃ１により、選択された登録者の連絡先についての情報が、連絡先情報ＩＮＦとして画像処理装置３０に供給される。画像処理装置３０は、この連絡先情報ＩＮＦに基づいて、ScanToEmail機能またはScanToFAX機能を選択し、この連絡先情報ＩＮＦに基づいて、選択された機能の宛先設定を行うようになっている。
【００１８】
（スマートフォン１０）
スマートフォン１０は、表示部１１と、操作部１２と、スピーカ１３と、振動部１４と、インタフェース１５と、ＲＡＭ（Random Access Memory）１６と、ＲＯＭ（Read Only Memory）１７と、ＮＦＣ（Near Field Communication）通信部２１と、ネットワーク通信部２２と、電話通信部２３と、ＣＰＵ（Central Processing Unit）１９とを有している。
【００１９】
表示部１１は、スマートフォン１０の動作状態や、ユーザへの指示などを表示するものであり、例えば、液晶ディスプレイや各種インジケータなどを用いて構成される。操作部１２は、ユーザの操作を受け付けるものであり、例えば、タッチパネルや各種ボタンなどを用いて構成される。
【００２０】
スピーカ１３は、音を出力するものである。振動部１４は、振動することにより、ユーザに対して、例えばスマートフォン１０の動作状態を伝えるものであり、例えば振動モータを用いて構成される。インタフェース１５は、例えば、ケーブルを用いて外部機器と接続することにより、外部機器との間で情報のやり取りを行うものである。
【００２１】
ＲＡＭ１６は、ＣＰＵ１９がプログラムを実行する際に、一時記憶領域として機能するものである。
【００２２】
ＲＯＭ１７は、スマートフォン１０において用いられる様々な情報を記憶する、書き変え可能な不揮発性のメモリである。ＲＯＭ１７は、スマートフォン２０において実行されるプログラムや、様々な設定情報を記憶している。具体的には、ＲＯＭ１７は、オペレーティングシステムや、後述するアプリケーションソフトウェア１１０などの様々なプログラムを記憶している。また、ＲＯＭ１７は、連絡先リスト１７Ａを記憶している。連絡先リスト１７Ａは、電子メールアドレス、ＦＡＸ番号、および電話番号を、登録者に対応づけて管理するものである。
【００２３】
図２は、連絡先リスト１７Ａの一構成例を表すものである。この図２では、連絡先リスト１７Ａに記憶されている情報のうち、電子メールアドレスおよびＦＡＸ番号についての情報を示している。連絡先リスト１７Ａでは、複数の電子メールアドレスを一人の登録者に対応づけることができるとともに、複数のＦＡＸ番号を一人の登録者に対応づけることができるようになっている。すなわち、この例では、勤務先の電子メールアドレス、自宅の電子メールアドレス、および携帯電話のメールアドレスを、一人の登録者に対応づけることができるとともに、勤務先のＦＡＸ番号および自宅のＦＡＸ番号を、一人の登録者に対応づけることができるようになっている。
【００２４】
具体的には、この例では、連絡先リスト１７Ａには、登録者Ａの勤務先の電子メールアドレスが登録されている。また、連絡先リスト１７Ａには、登録者Ｂの勤務先の電子メールアドレスおよび勤務先のＦＡＸ番号が登録されている。また、連絡先リスト１７Ａには、登録者Ｃの勤務先のＦＡＸ番号および自宅のＦＡＸ番号が登録されている。また、連絡先リスト１７Ａには、登録者Ｄの、勤務先の電子メールアドレス、携帯電話の電子メールアドレス、および勤務先のＦＡＸ番号が登録されている。
【００２５】
ＮＦＣ通信部２１は、画像処理装置３０のＮＦＣリーダライタ３２（後述）との間で近距離無線通信Ｃ１を行うものである。この例では、ＮＦＣ通信部２１は、画像処理装置３０のＮＦＣリーダライタ３２に対して、連絡先情報ＩＮＦを供給するようになっている。
【００２６】
ネットワーク通信部２２は、例えば、無線ＬＡＮ（Local Area Network）のアクセスポイントとの間で無線ネットワーク通信を行うものである。
【００２７】
電話通信部２３は、携帯電話の基地局との間で無線通信を行うものである。
【００２８】
ＣＰＵ１９は、ＲＯＭ１７に記憶された各種プログラムを実行することにより、スマートフォン１０の動作を制御するものである。
【００２９】
図３は、スマートフォン１０のＣＰＵ１９において実行されるアプリケーションソフトウェア１１０の一構成例を表すものである。アプリケーションソフトウェア１１０は、表示制御部１１１と、入力制御部１１２と、情報取得部１１３と、送信制御部１１４とを有している。
【００３０】
表示制御部１１１は、表示部１１の動作を制御することにより、表示部１１に情報を表示させるものである。入力制御部１１２は、ユーザが操作部１２を操作することにより入力した情報を取得するものである。
【００３１】
情報取得部１１３は、ＲＯＭ１７に記憶された連絡先リスト１７Ａから、各登録者の連絡先についての情報を取得するものである。
【００３２】
送信制御部１１４は、選択された登録者の連絡先についての情報に基づいて、連絡先情報ＩＮＦを生成し、ＮＦＣ通信部２１の動作を制御することにより、この連絡先情報ＩＮＦを画像処理装置３０に供給するものである。
【００３３】
連絡先情報ＩＮＦは、宛先データＤＴ１と、機能識別データＤＴ２と、属性データＤＴ３とを含んでいる。宛先データＤＴ１は、宛先を特定するデータであり、この例では、電子メールアドレスまたはＦＡＸ番号である。機能識別データＤＴ２は、宛先データＤＴ１の種類を示すものであり、この例では、“Ｅｍａｉｌ”または“ＦＡＸ番号”である。宛先データＤＴ１が電子メールアドレスである場合には、機能識別データＤＴ２は“Ｅｍａｉｌ”に設定され、宛先データＤＴ１がＦＡＸ番号である場合には、機能識別データＤＴ２は“ＦＡＸ番号”に設定される。属性データＤＴ３は、宛先データＤＴ１の属性を示すものであり、この例では、“勤務先”、“自宅”、および“携帯電話”のいずれかに設定される。
【００３４】
連絡先情報ＩＮＦは、この例では、“機能識別データＤＴ２”（“属性データＤＴ３”）：“宛先データＤＴ１”の形式で記述される。また、連絡先情報ＩＮＦは、選択された登録者に複数の宛先が対応づけられている場合には、これらの複数の宛先についての情報を含むようになっている。
【００３５】
例えば、登録者Ａが選択された場合には、連絡先情報ＩＮＦは、「Ｅｍａｉｌ（勤務先）：ｘｘｘ＠ｘｘｘ．ｘｘｘ」である。また、登録者Ｂが選択された場合には、連絡先情報ＩＮＦは、「Ｅｍａｉｌ（勤務先）：ｙｙｙ＠ｙｙｙ．ｙｙｙ、ＦＡＸ番号（勤務先）：１１１１１１１１１１」である。また、登録者Ｃが選択された場合には、連絡先情報ＩＮＦは、「ＦＡＸ番号（勤務先）：２２２２２２２２２２、ＦＡＸ番号（自宅）：３３３３３３３３３３」である。また、登録者Ｄが選択された場合には、連絡先情報ＩＮＦは、「Ｅｍａｉｌ（勤務先）：ｚｚｚ＠ｚｚｚ．ｚｚｚ、Ｅｍａｉｌ（携帯電話）：ｍｏｂｉｌｅ＠ｚｚｚ．ｚｚｚ、ＦＡＸ番号（勤務先）：４４４４４４４４４」である。
【００３６】
（画像処理装置３０）
画像処理装置３０（図１）は、操作パネル３１と、ＮＦＣリーダライタ３２と、ネットワーク通信部３３と、ＦＡＸ通信部３４と、画像読取部３５と、画像形成部３６と、コントローラ３７とを有している。
【００３７】
操作パネル３１は、画像処理装置３０におけるユーザインタフェースを実現するものであり、表示部３１Ａと、操作部３１Ｂとを有している。表示部３１Ａは、画像処理装置３０の動作状態や、ユーザへの指示などを表示するものであり、例えば液晶ディスプレイを用いて構成される。操作部３１Ｂは、ユーザの操作を受け付けるものであり、例えばタッチパネルを用いて構成される。
【００３８】
ＮＦＣリーダライタ３２は、スマートフォン１０のＮＦＣ通信部２１との間で近距離無線通信Ｃ１を行うものである。この例では、ＮＦＣリーダライタ３２は、スマートフォン１０のＮＦＣ通信部２１から、連絡先情報ＩＮＦを受け取るようになっている。
【００３９】
ネットワーク通信部３３は、例えば、ＬＡＮを用いてネットワーク機器との間で無線通信を行うものである。ネットワーク通信部３３は、例えば、無線ＬＡＮのアクセスポイントとの間で無線ネットワーク通信を行ってもよいし、有線ＬＡＮを用いて、ネットワーク機器との間で有線ネットワーク通信を行ってもよい。この例では、ネットワーク通信部３３は、画像処理装置３０がScanToEmail機能を実行する場合に、画像データを電子メールを用いて送信するようになっている。
【００４０】
ＦＡＸ通信部３４は、電話回線を介して通信相手との間でＦＡＸデータ（画像データ）を送受信するものである。この例では、ＦＡＸ通信部３４は、画像処理装置３０がScanToFAX機能を実行する場合に、画像データをＦＡＸを用いて送信するようになっている。
【００４１】
画像読取部３５は、紙などの読取媒体に記録された情報を読み取るものであり、例えばＣＩＳ（Contact Image Sensor）を用いて構成されるものである。画像形成部３６は、紙などの記録媒体に画像を形成するものであり、例えば電子写真方式により、記録媒体に現像剤像を形成するものである。
【００４２】
コントローラ３７は、画像処理装置３０内の各ブロックの動作を制御することにより、画像処理装置３０の全体動作を制御するモジュールである。コントローラ３７は、ＣＰＵ３７Ａと、ＲＡＭ３７Ｂと、ＲＯＭ３７Ｃと、ＡＳＩＣ（Application Specific Integrated Circuit）３７Ｄとを有している。ＣＰＵ３７Ａは、ＲＯＭ３７Ｃに記憶された各種プログラムを実行することにより、画像処理装置３０の動作を制御するものである。ＲＡＭ３７Ｂは、ＣＰＵ３７Ａがプログラムを実行する際に、一時記憶領域として機能するものである。ＲＯＭ３７Ｃは、画像処理装置３０において用いられる様々な情報を記憶する、書き変え可能な不揮発性のメモリである。ＲＯＭ３７Ｃは、画像処理装置３０において実行されるプログラムや、様々な設定情報を記憶している。具体的には、ＲＯＭ３７Ｃは、後述するソフトウェア１３０などの様々なプログラムを記憶している。ＡＳＩＣ３７Ｄは、画像処理装置３０における様々な処理を行うものである。ＣＰＵ３７Ａ、ＲＡＭ３７Ｂ、ＲＯＭ３７Ｃ、およびＡＳＩＣ３７Ｄは、バス３７Ｅに接続され、互いに情報をやり取りすることができるようになっている。
【００４３】
図４は、画像処理装置３０のＣＰＵ３７Ａにおいて実行されるソフトウェア１３０の一構成例を表すものである。ソフトウェア１３０は、表示制御部１３１と、入力制御部１３２と、機能判定部１３３と、宛先決定部１３４と、機能切替部１３５とを有している。
【００４４】
表示制御部１３１は、操作パネル３１の表示部３１Ａの動作を制御することにより、表示部３１Ａに情報を表示させるものである。入力制御部１３２は、ユーザが操作パネル３１の操作部３１Ｂを操作することにより入力した情報を取得するものである。
【００４５】
機能判定部１３３は、連絡先情報ＩＮＦに含まれる機能識別データＤＴ２に基づいて、画像処理装置３０がScanToEmail機能およびScanToFAX機能のうちのどちらを実行するかを判定するものである。
【００４６】
具体的には、機能判定部１３３は、連絡先情報ＩＮＦが、“Ｅｍａｉｌ”に設定された機能識別データＤＴ２を含み、“ＦＡＸ番号”に設定された機能識別データＤＴ２を含まない場合には、ScanToEmail機能を実行すべきと判定し、連絡先情報ＩＮＦが、“ＦＡＸ番号”に設定された機能識別データＤＴ２を含み、“Ｅｍａｉｌ”に設定された機能識別データＤＴ２を含まない場合には、ScanToFAX機能を実行すべきと判定する。
【００４７】
また、機能判定部１３３は、連絡先情報ＩＮＦが、“Ｅｍａｉｌ”に設定された機能識別データＤＴ２および“ＦＡＸ番号”に設定された機能識別データＤＴ２の両方を含む場合には、表示制御部１３１および入力制御部１３２を用いて、どちらを使用するかをユーザに選択させ、ユーザからの指示に基づいて、実行すべき機能を判定するようになっている。
【００４８】
宛先決定部１３４は、連絡先情報ＩＮＦに含まれる機能識別データＤＴ２に基づいて、機能判定部１３３により選択された機能における、画像データの送信先である宛先を決定するものである。
【００４９】
具体的には、宛先決定部１３４は、例えば、ScanToEmail機能が選択された場合には、“Ｅｍａｉｌ”に設定された機能識別データＤＴ２の数をカウントすることにより、連絡先情報ＩＮＦに含まれる電子メールアドレスの数を判定する。そして、宛先決定部１３４は、連絡先情報ＩＮＦが１つの電子メールアドレスを含んでいる場合には、その電子メールアドレスを、使用する電子メールアドレスとして決定する。また、宛先決定部１３４は、連絡先情報ＩＮＦが複数の電子メールアドレスを含んでいる場合には、表示制御部１３１および入力制御部１３２を用いて、どの電子メールアドレスを使用するかをユーザに選択させ、ユーザからの指示に基づいて、使用する電子メールアドレスを決定する。
【００５０】
同様に、宛先決定部１３４は、例えば、ScanToFAX機能が選択された場合には、“ＦＡＸ番号”に設定された機能識別データＤＴ２の数をカウントすることにより、連絡先情報ＩＮＦに含まれるＦＡＸ番号の数を判定する。そして、宛先決定部１３４は、連絡先情報ＩＮＦが１つのＦＡＸ番号を含んでいる場合には、そのＦＡＸ番号を、使用するＦＡＸ番号として決定する。また、宛先決定部１３４は、連絡先情報ＩＮＦが複数のＦＡＸ番号を含んでいる場合には、表示制御部１３１および入力制御部１３２を用いて、どのＦＡＸ番号を使用するかをユーザに選択させ、ユーザからの指示に基づいて、使用するＦＡＸ番号を決定するようになっている。
【００５１】
機能切替部１３５は、機能判定部１３３の判定結果に基づいて、画像処理装置３０の機能を切り替えるものである。具体的には、機能切替部１３５は、画像処理装置３０がScanToEmail機能を実行する場合には、表示制御部１３１を用いて、ScanToEmail機能を提供する操作画面を操作パネル３１の表示部３１Ａに表示させる。また、機能切替部１３５は、画像処理装置３０がScanToFAX機能を実行する場合には、表示制御部１３１を用いて、ScanToFAX機能を提供する操作画面を操作パネル３１の表示部３１Ａに表示させるようになっている。
【００５２】
ここで、画像処理装置３０は、本発明における「画像処理装置」の一具体例に対応する。ＮＦＣリーダライタ３２は、本発明における「第１の通信部」の一具体例に対応する。画像読取部３５、画像形成部３６、ネットワーク通信部３３、およびＦＡＸ通信部３４は、本発明における「処理部」の一具体例に対応する。コントローラ３７は、本発明における「制御部」の一具体例に対応する。連絡先情報ＩＮＦは、本発明における「宛先情報」の一具体例に対応する。表示部３１Ａは、本発明における「第１の表示部」の一具体例に対応する。操作部３１Ｂは、本発明における「第１の操作部」の一具体例に対応する。
【００５３】
ここで、スマートフォン１０は、本発明における「モバイル端末」の一具体例に対応する。ＮＦＣ通信部２１は、本発明における「第２の通信部」の一具体例に対応する。ＲＯＭ１７は、本発明における「記憶部」の一具体例に対応する。ＣＰＵ１９は、本発明における「情報生成部」の一具体例に対応する。表示部１１は、本発明における「第２の表示部」の一具体例に対応する。操作部１２は、本発明における「第２の操作部」の一具体例に対応する。
【００５４】
［動作および作用］
続いて、本実施の形態の画像処理システム１の動作および作用について説明する。
【００５５】
（全体動作概要）
まず、図１，３，４を参照して、画像処理システム１の全体動作概要を説明する。例えば、ユーザが、アプリケーションソフトウェア１１０を実行しているスマートフォン１０を操作することにより、情報取得部１１３は、ＲＯＭ１７に記憶された連絡先リスト１７Ａから各登録者の連絡先についての情報を取得する。そして、ユーザが、連絡先リスト１７Ａから、連絡先リストに登録された複数の登録者のうちの一人の登録者を選択すると、送信制御部１１４は、選択された登録者の連絡先についての情報に基づいて、連絡先情報ＩＮＦを生成する。そして、ユーザが、このスマートフォン１０を画像処理装置３０にかざすと、スマートフォン１０のＮＦＣ通信部２１は、連絡先情報ＩＮＦを、画像処理装置３０のＮＦＣリーダライタ３２に供給する。
【００５６】
画像処理装置３０では、ＮＦＣリーダライタ３２が、スマートフォン１０から供給された連絡先情報ＩＮＦを受け取る。機能判定部１３３は、連絡先情報ＩＮＦに基づいて、画像処理装置３０がScanToEmail機能およびScanToFAX機能のうちのどちらを実行するかを判定する。宛先決定部１３４は、連絡先情報ＩＮＦに基づいて、ScanToEmail機能およびScanToFAX機能のうちの選択された機能における、画像データの送信先である宛先を決定する。機能切替部１３５は、機能判定部１３３の判定結果に基づいて、画像処理装置３０の機能を切り替える。
【００５７】
（詳細動作）
次に、画像処理システム１の動作について、詳細に説明する。まず、スマートフォン１０の動作について説明し、その後に、画像処理装置３０の動作を説明する。
【００５８】
図５は、スマートフォン１０の一動作例を表すものである。
【００５９】
まず、ユーザがスマートフォン１０を操作して、アプリケーションソフトウェア１１０を起動すると、スマートフォン１０の表示部１１は、表示制御部１１１からの指示に基づいて、メイン画面Ｐ１１を表示する（ステップＳ１０１）。
【００６０】
図６は、スマートフォン１０の表示部１１に表示されるメイン画面Ｐ１１の一例を表すものである。このメイン画面Ｐ１１は、“印刷”ボタン１５１と、“スキャン”ボタン１５２と、“宛先を送信”ボタン１５３とを含んでいる。ユーザが“印刷”ボタン１５１を操作することにより、スマートフォン１０の表示部１１は、プリント機能を提供する画面を表示する。また、ユーザが“スキャン”ボタン１５２を操作することにより、スマートフォン１０の表示部１１は、スキャン機能を提供する画面を表示する。また、ユーザが“宛先を送信”ボタン１５３を操作することにより、スマートフォン１０は、連絡先情報ＩＮＦを画像処理装置３０に送信する処理を開始する。
【００６１】
次に、入力制御部１１２は、“宛先を送信”ボタン１５３が操作されたかどうかを確認する（ステップＳ１０２）。“宛先を送信”ボタン１５３以外のボタンが操作された場合（ステップＳ１０２において“Ｎ”）には、操作されたボタンに応じた処理を行い（ステップＳ１１１）、このフローは終了する。
【００６２】
ステップＳ１０２において、“宛先を送信”ボタン１５３が操作され、“宛先を送信”が選択された場合（ステップＳ１０２において“Ｙ”）には、情報取得部１１３は、ＲＯＭ１７の連絡先リスト１７Ａから、各登録者についての情報を取得し（ステップＳ１０３）、スマートフォン１０の表示部１１は、表示制御部１１１からの指示に基づいて、連絡先一覧画面Ｐ１２を表示する（ステップＳ１０４）。
【００６３】
図７は、スマートフォン１０の表示部１１に表示される連絡先一覧画面Ｐ１２の一例を表すものである。この連絡先一覧画面Ｐ１２は、連絡先リスト１７Ａにおける各登録者の氏名と、各登録者に対応づけられた連絡先についての情報を示している。すなわち、この連絡先一覧画面Ｐ１２が示す情報は、図２に示した連絡先リスト１７Ａに登録された情報と同じである。この連絡先一覧画面Ｐ１２では、登録者単位で、操作領域（この例では操作領域１５４〜１５７）が設定されている。操作領域１５４〜１５７は、登録者Ａ〜Ｄにそれぞれ対応している。そして、例えば、ユーザが操作領域１５４を操作することにより、スマートフォン１０は、登録者Ａの連絡先を選択することができる。操作領域１５５〜１５７についても同様である。
【００６４】
次に、入力制御部１１２は、登録者の連絡先が選択されたかどうかを確認し（ステップＳ１０５）、登録者の連絡先が選択されるまで、このステップＳ１０５を繰り返す。そして、登録者の連絡先が選択された場合（ステップＳ１０５において“Ｙ”）には、送信制御部１１４は、選択された登録者の連絡先についての情報に基づいて、連絡先情報ＩＮＦを生成する（ステップＳ１０６）
【００６５】
そして、スマートフォン１０の表示部１１は、表示制御部１１１からの指示に基づいて、ユーザに対して、スマートフォン１０を画像処理装置３０のＮＦＣリーダライタ３２にかざすことを促す指示画面Ｐ１３を表示する（ステップＳ１０７）。
【００６６】
図８Ａ，８Ｂは、スマートフォン１０の表示部１１に表示される指示画面Ｐ１３の一例を表すものであり、図８Ａは、ステップＳ１０５においてユーザが登録者Ａの連絡先を選択した場合を示し、図８Ｂは、ステップＳ１０５においてユーザが登録者Ｂの連絡先を選択した場合を示す。この指示画面Ｐ１３は、ユーザに対して、スマートフォン１０を画像処理装置３０のＮＦＣリーダライタ３２にかざすことを促すメッセージを含んでいる。また、指示画面Ｐ１３は、選択された登録者の連絡先についての情報をも含んでいる。
【００６７】
そして、スマートフォン１０が画像処理装置３０のＮＦＣリーダライタ３２にかざされた場合（ステップＳ１０８において“Ｙ”）に、ＮＦＣ通信部２１が、連絡先情報ＩＮＦを、画像処理装置３０のＮＦＣリーダライタ３２に対して供給する（ステップＳ１０９）。
【００６８】
以上で、このフローは終了する。
【００６９】
図９は、スマートフォン１０が画像処理装置３０のＮＦＣリーダライタ３２にかざされた後の、画像処理装置３０の一動作例を表すものである。
【００７０】
まず、機能判定部１３３は、連絡先情報ＩＮＦに含まれる機能識別データＤＴ２に基づいて、連絡先情報ＩＮＦが、電子メールアドレスのみを含むか、ＦＡＸ番号のみを含むか、電子メールアドレスおよびＦＡＸ番号の両方を含むかを確認する（ステップＳ１２１）。連絡先情報ＩＮＦが、電子メールアドレスのみを含む場合（ステップＳ１２１において“電子メールアドレスのみ”）には、ステップＳ１２４に進み、連絡先情報ＩＮＦが、ＦＡＸ番号のみを含む場合（ステップＳ１２１において“ＦＡＸ番号のみ”）には、ステップＳ１２７に進む。また、連絡先情報ＩＮＦが、電子メールアドレスおよびＦＡＸ番号の両方を含む場合（ステップＳ１２１において“電子メールアドレスおよびＦＡＸ番号”）には、ステップＳ１２３に進む。
【００７１】
例えば、スマートフォン１０において、登録者Ａが選択された場合には、連絡先情報ＩＮＦは電子メールアドレスのみを含むので、ステップＳ１２４に進む。また、スマートフォン１０において、登録者Ｃが選択された場合には、連絡先情報ＩＮＦはＦＡＸ番号のみを含むので、ステップＳ１２８に進む。スマートフォン１０において、登録者Ｂまたは登録者Ｄが選択された場合には、連絡先情報ＩＮＦは、電子メールアドレスおよびＦＡＸ番号の両方を含むので、ステップＳ１２３に進む。
【００７２】
ステップＳ１２１において、連絡先情報ＩＮＦが、電子メールアドレスおよびＦＡＸ番号の両方を含む場合（ステップＳ１２１において“電子メールアドレスおよびＦＡＸ番号”）には、画像処理装置３０の表示部３１Ａは、表示制御部１３１からの指示に基づいて、機能選択画面Ｐ３１を表示する（ステップＳ１２２）。
【００７３】
図１０は、画像処理装置３０の表示部３１Ａに表示される機能選択画面Ｐ３１の一例を表すものである。この機能選択画面Ｐ３１は、“Ｅｍａｉｌ送信”ボタン１７１と、“ＦＡＸ送信”ボタン１７２とを含んでいる。ユーザが“Ｅｍａｉｌ送信”ボタン１７１を操作することにより、機能判定部１３３は、ScanToEmail機能を選択する。また、ユーザが“ＦＡＸ送信”ボタン１７２を操作することにより、機能判定部１３３は、ScanToFAX機能を選択する。
【００７４】
次に、入力制御部１３２は、ステップＳ１２２において選択された機能を確認する（ステップＳ１２３）。ScanToEmail機能が選択された場合（ステップＳ１２３において“Ｅｍａｉｌ送信”）には、ステップＳ１２４に進み、ScanToEmail機能が選択された場合（ステップＳ１２３において“ＦＡＸ送信”）には、ステップＳ１２８に進む。
【００７５】
ステップＳ１２１において、連絡先情報ＩＮＦが、電子メールアドレスのみを含む場合（ステップＳ１２１において“電子メールアドレスのみ”）、または、ステップＳ１２３において、ScanToEmail機能が選択された場合（ステップＳ１２３において“Ｅｍａｉｌ送信”）には、宛先決定部１３４は、連絡先情報ＩＮＦに含まれる機能識別データＤＴ２に基づいて、連絡先情報ＩＮＦに含まれる電子メールアドレスが１つだけであるかどうかを確認する（ステップＳ１２４）。
【００７６】
ステップＳ１２４において、連絡先情報ＩＮＦが複数の電子メールアドレスを含んでいる場合（ステップＳ１２４において“Ｎ”）には、画像処理装置３０の表示部３１Ａは、表示制御部１３１からの指示に基づいて、電子メールアドレス選択画面Ｐ３２を表示する（ステップＳ１２５）。
【００７７】
図１１は、画像処理装置３０の表示部３１Ａに表示される電子メールアドレス選択画面Ｐ３２の一例を表すものである。この電子メールアドレス選択画面Ｐ３２は、電子メールアドレス表示部１７３と、“決定”ボタン１７４とを含んでいる。電子メールアドレス表示部１７３は、複数の電子メールアドレスについての情報（宛先データＤＴ１および属性データＤＴ３）を表示している。この例では、宛先決定部１３４は、属性データＤＴ３に基づいて、複数の電子メールアドレスが、上から“勤務先”、“携帯電話”、“自宅”の順に並んで表示されるように、表示の順番を制御する。ユーザは、電子メールアドレス表示部１７３を操作することにより、複数の電子メールアドレスのうちの１つを選択する。そして、ユーザが“決定”ボタン１７４を操作することにより、選択された電子メールアドレスが、宛先に決定される。
【００７８】
次に、宛先決定部１３４は、ScanToEmail機能の宛先設定を行う（ステップＳ１２６）。具体的には、宛先決定部１３４は、ステップＳ１２４において、連絡先情報ＩＮＦが１つの電子メールアドレスを含んでいる場合には、その電子メールアドレスを、ScanToEmail機能の宛先として設定する。また、宛先決定部１３４は、ステップＳ１２４において、連絡先情報ＩＮＦが複数の電子メールアドレスを含んでいる場合には、ステップＳ１２５において決定された電子メールアドレスを、ScanToEmail機能の宛先として設定する。
【００７９】
そして、機能切替部１３５は、画像処理装置３０の機能をScanToEmail機能に切り替え、画像処理装置３０の表示部３１Ａは、表示制御部１３１からの指示に基づいて、ScanToEmail機能の操作画面Ｐ３３を表示する（ステップＳ１２７）。
【００８０】
図１２は、画像処理装置３０の表示部３１Ａに表示される、ScanToEmail機能の操作画面Ｐ３３の一例を表すものである。操作画面Ｐ３３は、宛先欄１７５と、“送信ボタン”１７６とを含んでいる。宛先欄１７５には、ステップＳ１２６において、宛先決定部１３４により設定された宛先が自動的に入力される。そして、ユーザが“送信”ボタン１７６を操作すると、画像処理装置３０がScanToEmail機能を実行する。
【００８１】
これにより、画像処理装置３０では、画像読取部３５が、紙などの読取媒体に記録された情報を読み取ることにより画像データを生成し、ネットワーク通信部３３が、この画像データを、電子メールを用いて送信する。以上でこのフローは終了する。
【００８２】
ステップＳ１２１において、連絡先情報ＩＮＦが、ＦＡＸ番号のみを含む場合（ステップＳ１２１において“ＦＡＸ番号のみ”）、または、ステップＳ１２３において、ScanToFAX機能が選択された場合（ステップＳ１２３において“ＦＡＸ送信”）には、宛先決定部１３４は、連絡先情報ＩＮＦに含まれる機能識別データＤＴ２に基づいて、連絡先情報ＩＮＦに含まれるＦＡＸ番号が１つだけであるかどうかを確認する（ステップＳ１２８）。
【００８３】
ステップＳ１２８において、連絡先情報ＩＮＦが複数のＦＡＸ番号を含んでいる場合（ステップＳ１２８において“Ｎ”）には、画像処理装置３０の表示部３１Ａは、表示制御部１３１からの指示に基づいて、ＦＡＸ番号選択画面Ｐ３４を表示する（ステップＳ１２９）。
【００８４】
図１３は、画像処理装置３０の表示部３１Ａに表示されるＦＡＸ番号選択画面Ｐ３４の一例を表すものである。このＦＡＸ番号選択画面Ｐ３４は、ＦＡＸ番号表示部１８３と、“決定”ボタン１８４とを含んでいる。ＦＡＸ番号表示部１８３は、複数のＦＡＸ番号についての情報（宛先データＤＴ１および属性データＤＴ３）を表示している。この例では、宛先決定部１３４は、属性データＤＴ３に基づいて、複数のＦＡＸ番号が、上から“勤務先”、“携帯電話”、“自宅”の順に並んで表示されるように、表示の順番を制御する。ユーザは、ＦＡＸ番号表示部１８３を操作することにより、複数のＦＡＸ番号のうちの１つを選択する。そして、ユーザが“決定”ボタン１８４を操作することにより、選択されたＦＡＸ番号が、宛先に決定される。
【００８５】
次に、宛先決定部１３４は、ScanToFAX機能の宛先設定を行う（ステップＳ１３０）。具体的には、宛先決定部１３４は、ステップＳ１２８において、連絡先情報ＩＮＦが１つのＦＡＸ番号を含んでいる場合には、そのＦＡＸ番号を、ScanToFAX機能の宛先として設定する。また、宛先決定部１３４は、ステップＳ１２８において、連絡先情報ＩＮＦが複数のＦＡＸ番号を含んでいる場合には、ステップＳ１２９において決定されたＦＡＸ番号を、ScanToFAX機能の宛先として設定する。
【００８６】
そして、機能切替部１３５は、画像処理装置３０の機能をScanToFAX機能に切り替え、画像処理装置３０の表示部３１Ａは、表示制御部１３１からの指示に基づいて、ScanToFAX機能の操作画面Ｐ３５を表示する（ステップＳ１３１）。
【００８７】
図１４は、画像処理装置３０の表示部３１Ａに表示される、ScanToFAX機能の操作画面Ｐ３５の一例を表すものである。操作画面Ｐ３５は、宛先欄１８５と、“送信ボタン”１８６とを含んでいる。宛先欄１８５には、ステップＳ１３０において、宛先決定部１３４により設定された宛先が自動的に入力される。そして、ユーザが“送信”ボタン１８６を操作すると、画像処理装置３０がScanToFAX機能を実行する。
【００８８】
これにより、画像処理装置３０では、画像読取部３５が、紙などの読取媒体に記録された情報を読み取ることにより画像データを生成し、ＦＡＸ通信部３４が、この画像データを、ＦＡＸを用いて送信する。以上でこのフローは終了する。
【００８９】
以上のように、画像処理システム１では、スマートフォン１０の連絡先リスト１７Ａに基づいて連絡先情報ＩＮＦを生成し、この連絡先情報ＩＮＦに基づいて、画像処理装置３０が、実行すべき機能を判定するようにした。例えば、連絡先情報ＩＮＦが、電子メールアドレスおよびＦＡＸ番号のどちらか一方を含む場合には、画像処理装置３０は、この連絡先情報ＩＮＦに基づいて、ScanToEmail機能の操作画面またはScanToFAX機能の操作画面を自動的に表示する。そして、画像処理装置３０は、これらの操作画面の宛先欄に、連絡先情報ＩＮＦに応じた宛先情報を自動的に入力するようにした。その結果、画像処理システム１では、ユーザが機能を選択するとともに宛先情報を入力する手間が省けるので、ユーザの利便性を高めることができる。
【００９０】
また、画像処理システム１では、スマートフォン１０に表示される連絡先一覧画面Ｐ１２（図７）において、登録者単位で操作領域を設定することにより、ユーザが、登録者単位で連絡先を選択するようにした。これにより、例えば、１つの電子メールアドレスがその登録者に対応づけられている場合や、１つのＦＡＸ番号がその登録者に対応づけられている場合には、ユーザは、スマートフォン１０を操作することにより、登録者を選択するだけでよく、電子メールやＦＡＸ番号を選択する必要はない。そして、画像処理装置３０は、連絡先情報ＩＮＦに基づいて、ScanToEmail機能の操作画面またはScanToFAX機能の操作画面を自動的に表示するとともに、連絡先情報ＩＮＦに応じた宛先情報を自動的に入力する。その結果、画像処理システム１では、ユーザは、例えば、スマートフォン１０の小さい操作画面で、電子メールアドレスやＦＡＸ番号を選択する操作を行う必要がないので、ユーザの利便性を高めることができる。
【００９１】
また、画像処理システム１では、例えば、連絡先情報ＩＮＦが、電子メールアドレスおよびＦＡＸ番号の両方を含む場合には、画像処理装置３０は、ユーザに、ScanToEmail機能およびScanToFAX機能のどちらを使用するかを選択させるようにしたので、ユーザは、所望の機能を選択することができるので、ユーザの利便性を高めることができる。
【００９２】
また、画像処理システム１では、例えば、画像処理装置３０がScanToEmail機能を実行する場合において、連絡先情報ＩＮＦが、複数の電子メールアドレスを含む場合には、画像処理装置３０は、ユーザに、どの電子メールアドレスを使用するかを選択させるようにした。同様に、例えば、画像処理装置３０がScanToFAX機能を実行する場合において、連絡先情報ＩＮＦが、複数のＦＡＸ番号を含む場合には、画像処理装置３０は、ユーザに、どのＦＡＸ番号を使用するかを選択させるようにした。これにより、ユーザは、所望の宛先情報を選択することができるので、ユーザの利便性を高めることができる。
【００９３】
［効果］
以上のように本実施の形態では、スマートフォンの連絡先リストに基づいて連絡先情報を生成し、この連絡先情報に基づいて、画像処理装置が、実行すべき機能を判定するとともに、操作画面の宛先欄に宛先情報を自動的に入力するようにしたので、ユーザの利便性を高めることができる。
【００９４】
本実施の形態では、スマートフォンに表示される連絡先一覧画面において、登録者単位で操作領域を設定するようにしたので、ユーザの利便性を高めることができる。
【００９５】
本実施の形態では、連絡先情報が、電子メールアドレスおよびＦＡＸ番号の両方を含む場合には、ユーザに、ScanToEmail機能およびScanToFAX機能のどちらを使用するかを選択させるようにしたので、ユーザの利便性を高めることができる
【００９６】
本実施の形態では、画像処理装置がScanToEmail機能を実行する場合において、連絡先情報が、複数の電子メールアドレスを含む場合には、ユーザに、どの電子メールアドレスを使用するかを選択させるようにしたので、ユーザの利便性を高めることができる。
【００９７】
本実施の形態では、画像処理装置がScanToFAX機能を実行する場合において、連絡先情報が、複数のＦＡＸ番号を含む場合には、ユーザに、どのＦＡＸ番号を使用するかを選択させるようにしたので、ユーザの利便性を高めることができる
【００９８】
［変形例１−１］
上記実施の形態では、画像処理装置３０は、ScanToEmail機能の操作画面Ｐ３３の宛先欄１７５に、電子メールアドレスが自動的に入力されるようにしたが、その際、この電子メールアドレス（宛先データＤＴ１）の属性データＤＴ３が“勤務先”以外である場合には、その電子メールアドレスをログに記録する旨を表示してもよい。以下に、本変形例に係る画像処理システム１Ａについて、詳細に説明する。画像処理システム１Ａは、スマートフォン１０と、画像処理装置３０Ａとを備えている。
【００９９】
図１５は、画像処理装置３０ＡのＣＰＵ３７Ａにおいて実行されるソフトウェア１３０Ａの一構成例を表すものである。ソフトウェア１３０Ａは、ログ記録部１３６Ａを有している。このログ記録部１３６Ａは、画像処理装置３０Ａが行った処理をログとして記録するものである。ログ記録部１３６Ａは、宛先欄１７５に入力された電子メールアドレスの属性データＤＴ３が“勤務先”以外である場合に、表示制御部１３１を用いて、ユーザに、その電子メールアドレスをログに記録する旨を通知する機能を有している。そして、ログ記録部１３６Ａは、画像処理装置３０ＡがScanToEmail機能を実行した後に、ScanToEmail機能を実行した旨を、その電子メールアドレスとともに、ログに記録する。これにより、ユーザは、ScanToEmail機能を実行することにより、自宅の電子メールアドレスなどの個人情報がログに記録されてしまうことを、ScanToEmail機能を実行する前に知ることができる。その結果、画像処理装置３０Ａでは、個人情報が他人に知られるおそれを低減することができ、ユーザの利便性を高めることができる。
【０１００】
なお、この例では、ScanToEmail機能を例に説明したが、この技術をScanToFAX機能に適用してもよい。すなわち、画像処理装置３０は、ScanToFAX機能の操作画面Ｐ３５の宛先欄１８５に、ＦＡＸ番号が自動的に入力されるようにしたが、その際、このＦＡＸ番号（宛先データＤＴ１）の属性データＤＴ３が“勤務先”以外である場合には、そのＦＡＸ番号をログに記録する旨を表示してもよい。
【０１０１】
［変形例１−２］
上記実施の形態では、画像処理装置３０は、ScanToEmail機能を実行し、画像データを、電子メールを用いて送信するようにしたが、その際、画像データを電子メールで送信した旨を、電子メールを用いて、他の宛先に対して通知してもよい。以下に、本変形例に係る画像処理システム１Ｂについて、詳細に説明する。画像処理システム１Ｂは、スマートフォン１０と、画像処理装置３０Ｂとを備えている。
【０１０２】
図１６は、画像処理装置３０ＢのＣＰＵ３７Ａにおいて実行されるソフトウェア１３０Ｂの一構成例を表すものである。ソフトウェア１３０Ｂは、通知部１３７Ｂを有している。通知部１３７Ｂは、画像処理装置３０は、ScanToEmail機能を実行した後に、表示制御部１３１および入力制御部１３２を用いて、画像データを電子メールで送信した旨を他の宛先に対して通知するかどうかを、ユーザに問い合わせる。そして、ユーザが、通知を行う旨を指示した場合には、通知部１３７Ｂは、表示制御部１３１および入力制御部１３２を用いて、連絡先情報ＩＮＦに含まれる複数の電子メールアドレスのうちの１つをユーザに選択させる。画像処理装置３０Ｂは、図１１に示した電子メールアドレス選択画面Ｐ３２と同様の画面を用いることができる。通知部１３７Ｂは、属性データＤＴ３に基づいて、複数の電子メールアドレスが、上から“携帯電話”、“勤務先”、“自宅”の順に並んで表示されるように、表示の順番を制御する。そして、通知部１３７Ｂは、この画面を用いて選択された電子メールアドレスを宛先として設定して、画像データを電子メールで送信した旨を通知する。具体的には、例えば、 ネットワーク通信部３３は、“ｘｘｘ＠ｘｘｘ．ｘｘｘにスキャン画像を送信しました”というタイトルを有する電子メールを送信する。これにより、画像処理装置３０Ｂでは、例えば、勤務先の電子メールアドレスに対して画像データを送信した場合において、画像データをすでに送信した旨を、例えば携帯電話の電子メールアドレスに対して通知することができるので、ユーザの利便性を高めることができる。
【０１０３】
なお、この例では、ScanToEmail機能を例に説明したが、この技術をScanToFAX機能に適用してもよい。すなわち、画像処理装置３０は、ScanToFAX機能を実行し、画像データを、ＦＡＸを用いて送信するようにしたが、その際、画像データをＦＡＸで送信した旨を、電子メールを用いて通知してもよい。
【０１０４】
［変形例１−３］
上記実施の形態では、画像処理装置３０は、連絡先情報ＩＮＦに基づいて、ScanToFAX機能の操作画面Ｐ３５を表示するようにしたが、その際、スマートフォン１０は、画像データを送信する相手に対して電話をかけるかどうかを、ユーザに問い合わせるようにしてもよい。以下に、本変形例に係る画像処理システム１Ｃについて、詳細に説明する。画像処理システム１Ｃは、スマートフォン１０Ｃと、画像処理装置３０とを備えている。
【０１０５】
図１７は、スマートフォン１０ＣのＣＰＵ１９において実行されるアプリケーションソフトウェア１１０Ｃの一構成例を表すものである。アプリケーションソフトウェア１１０Ｃは、通知部１１５Ｃを有している。通知部１１５Ｃは、画像処理装置３０がScanToFAX機能の操作画面Ｐ３５を表示したときに、表示制御部１１１および入力制御部１１２を用いて、画像データを送信する相手に対して電話をかけるかどうか、ユーザに問い合わせる。そして、ユーザが、電話をかける旨を指示した場合には、情報取得部１１３が、連絡先リスト１７Ａを用いて、画像データを送信する相手（登録者）に対応づけられた電話番号を取得し、スマートフォン１０Ｃの電話通信部２３が、その電話番号に対して、発信処理を行う。この登録者に複数の電話番号が対応づけられていた場合には、通知部１１５Ｃは、表示制御部１１１および入力制御部１１２を用いて、その複数の電話番号のうちの１つをユーザに選択させる。通知部１１５Ｃは、属性データＤＴ３に基づいて、複数の電話番号が、上から“勤務先”、“携帯電話”、“自宅”の順に並んで表示されるように、表示の順番を制御する。そして、スマートフォン１０Ｃの電話通信部２３は、選択された電話番号に対して、発信処理を行う。これにより、スマートフォン１０Ｃでは、ユーザは、例えば、画像データをＦＡＸを用いて送信する旨を、電話で伝えることができるので、ユーザの利便性を高めることができる。
【０１０６】
なお、この例では、ScanToFAX機能を例に説明したが、この技術をScanToEmail機能に適用してもよい。すなわち、画像処理装置３０は、連絡先情報ＩＮＦに基づいて、ScanToEmail機能の操作画面Ｐ３３を表示するようにしたが、その際、スマートフォン１０は、画像データを送信する相手に対して電話をかけるかどうかを、ユーザに問い合わせるようにしてもよい。
【０１０７】
［変形例１−４］
上記実施の形態では、画像処理装置３０が、連絡先情報ＩＮＦに基づいて、ScanToEmail機能およびScanToFAX機能のうちのどちらを実行するかを判定するとともに、画像データの送信先である宛先を決定したが、これに限定されるものではない。これに代えて、例えば、スマートフォン１０が、画像処理装置３０がScanToEmail機能およびScanToFAX機能のうちのどちらを実行するかを判定するとともに、画像データの送信先である宛先を決定してもよい。以下に、本変形例に係る画像処理システム１Ｄについて、詳細に説明する。画像処理システム１Ｄは、スマートフォン１０Ｄと、画像処理装置３０とを備えている。
【０１０８】
図１８は、スマートフォン１０ＤのＣＰＵ１９において実行されるアプリケーションソフトウェア１１０Ｄの一構成例を表すものである。アプリケーションソフトウェア１１０Ｄは、機能判定部１１６Ｄと、宛先決定部１１７Ｄと、送信制御部１１４Ｄとを有している。
【０１０９】
機能判定部１１６Ｄは、例えば、連絡先一覧画面Ｐ１２（図７）を用いてユーザにより選択された登録者の連絡先についての情報に基づいて、画像処理装置３０がScanToEmail機能およびScanToFAX機能のうちのどちらを実行するかを判定するものである。具体的には、機能判定部１１６Ｄは、選択された登録者の連絡先についての情報が、電子メールアドレスを含むとともにＦＡＸ番号を含まない場合には、ScanToEmail機能を実行すべきと判定し、ＦＡＸ番号を含むとともに電子メールアドレスを含まない場合には、ScanToFAX機能を実行すべきと判定する。また、機能判定部１１６Ｄは、選択された登録者の連絡先についての情報が、電子メールアドレスおよびＦＡＸ番号の両方を含む場合には、表示制御部１１１および入力制御部１１２を用いて、どちらを使用するかをユーザに選択させ、ユーザからの指示に基づいて、実行すべき機能を判定するようになっている。
【０１１０】
宛先決定部１１７Ｄは、機能判定部１１６Ｄにより選択された機能における、画像データの送信先である宛先を決定するものである。具体的には、宛先決定部１１７Ｄは、例えば、ScanToEmail機能が選択された場合には、選択された登録者の連絡先についての情報に含まれる電子メールアドレスの数を判定する。そして、宛先決定部１１７Ｄは、選択された登録者の連絡先についての情報が、１つの電子メールアドレスを含んでいる場合には、その電子メールアドレスを、使用する電子メールアドレスとして決定する。また、宛先決定部１１７Ｄは、選択された登録者の連絡先についての情報が、複数の電子メールアドレスを含んでいる場合には、表示制御部１１１および入力制御部１１２を用いて、どの電子メールアドレスを使用するかをユーザに選択させ、ユーザからの指示に基づいて、使用する電子メールアドレスを決定する。同様に、宛先決定部１１７Ｄは、例えば、ScanToFAX機能が選択された場合には、選択された登録者の連絡先についての情報に含まれるＦＡＸ番号の数を判定する。そして、宛先決定部１１７Ｄは、選択された登録者の連絡先についての情報が、１つのＦＡＸ番号を含んでいる場合には、そのＦＡＸ番号を、使用するＦＡＸ番号として決定する。また、宛先決定部１１７Ｄは、選択された登録者の連絡先についての情報が、複数のＦＡＸ番号を含んでいる場合には、表示制御部１１１および入力制御部１１２を用いて、どのＦＡＸ番号を使用するかをユーザに選択させ、ユーザからの指示に基づいて、使用するＦＡＸ番号を決定するようになっている。
【０１１１】
送信制御部１１４Ｄは、宛先決定部１１７Ｄにより決定された宛先についての情報に基づいて、連絡先情報ＩＮＦを生成し、ＮＦＣ通信部２１の動作を制御することにより、この連絡先情報ＩＮＦを画像処理装置３０に供給するものである。
【０１１２】
この構成により、画像処理システム１Ｄでは、スマートフォン１０Ｄが、画像処理装置３０がScanToEmail機能およびScanToFAX機能のうちのどちらを実行するかを判定するとともに、画像データの送信先である宛先を決定する。これにより、連絡先情報ＩＮＦは、１つの電子メールアドレスについての情報、または１つのＦＡＸ番号についての情報を含む。画像処理装置３０は、この連絡先情報ＩＮＦに基づいて、ScanToEmail機能の操作画面またはScanToFAX機能の操作画面を自動的に表示するとともに、連絡先情報ＩＮＦに応じた宛先情報を自動的に入力する。その結果、画像処理システム１Ｄでは、ユーザの利便性を高めることができる。
【０１１３】
［その他の変形例］
また、これらの変形例のうちの２以上を組み合わせてもよい。
【０１１４】
＜２．第２の実施の形態＞
次に、第２の実施の形態に係る画像処理システム２について説明する。本実施の形態は、ユーザが画像処理装置を操作することにより、ScanToEmail機能およびScanToFAX機能のうちの一方を選択した後に、ユーザがスマートフォンを画像処理装置にかざすものである。なお、上記第１の実施の形態に係る画像処理システム１と実質的に同一の構成部分には同一の符号を付し、適宜説明を省略する。
【０１１５】
図１に示したように、画像処理システム２は、スマートフォン１０と、画像処理装置４０とを備えている。画像処理システム２では、まず、例えば、ユーザが、画像処理装置４０の操作パネル３１を操作することにより、ScanToEmail機能およびScanToFAX機能のうちのどちらを実行するかを選択する。そして、例えば、スマートフォン１０のユーザがスマートフォン１０を操作することにより、スマートフォン１０に記憶された連絡先リスト１７Ａから、連絡先リスト１７Ａに登録された複数の登録者のうちの一人の登録者を選択する。そして、スマートフォン１０のユーザが、このスマートフォン１０を、画像処理装置４０のＮＦＣリーダライタ３２にかざすことにより、近距離無線通信Ｃ１により、選択された登録者の連絡先についての情報が、連絡先情報ＩＮＦとして画像処理装置４０に供給される。画像処理装置４０は、この連絡先情報ＩＮＦに基づいて、選択された機能の宛先設定を行うようになっている。
【０１１６】
画像処理装置４０は、図１に示したように、コントローラ４７を有している。コントローラ４７は、ＣＰＵ４７Ａと、ＲＯＭ４７Ｃとを有している。ＣＰＵ４７Ａは、ＲＯＭ４７Ｃに記憶された各種プログラムを実行することにより、画像処理装置４０の動作を制御するものである。ＲＯＭ４７Ｃは、画像処理装置４０において実行されるプログラムや、様々な設定情報を記憶している。具体的には、ＲＯＭ４７Ｃは、後述するソフトウェア２３０などの様々なプログラムを記憶している。
【０１１７】
図１９は、画像処理装置４０のＣＰＵ４７Ａにおいて実行されるソフトウェア２３０の一構成例を表すものである。ソフトウェア２３０は、宛先決定部２３４と、機能切替部２３５とを有している。
【０１１８】
宛先決定部２３４は、連絡先情報ＩＮＦに含まれる機能識別データＤＴ２に基づいて、ユーザの操作に基づいて選択された機能における、画像データの送信先である宛先を決定するものである。
【０１１９】
具体的には、宛先決定部２３４は、例えば、ScanToEmail機能が選択された場合には、“Ｅｍａｉｌ”に設定された機能識別データＤＴ２の数をカウントすることにより、連絡先情報ＩＮＦに含まれる電子メールアドレスの数を判定する。そして、宛先決定部２３４は、連絡先情報ＩＮＦが電子メールアドレスを含んでいない場合には、表示制御部１３１を用いて、連絡先情報ＩＮＦが電子メールアドレスを含んでいない旨をユーザに通知する。また、宛先決定部２３４は、連絡先情報ＩＮＦが１つの電子メールアドレスを含んでいる場合には、その電子メールアドレスを、使用する電子メールアドレスとして決定する。また、宛先決定部２３４は、連絡先情報ＩＮＦが複数の電子メールアドレスを含んでいる場合には、表示制御部１３１および入力制御部１３２を用いて、どの電子メールアドレスを使用するかをユーザに選択させ、ユーザからの指示に基づいて、使用する電子メールアドレスを決定する。
【０１２０】
同様に、宛先決定部２３４は、例えば、ScanToFAX機能が選択された場合には、“ＦＡＸ番号”に設定された機能識別データＤＴ２の数をカウントすることにより、連絡先情報ＩＮＦに含まれるＦＡＸ番号の数を判定する。そして、宛先決定部２３４は、連絡先情報ＩＮＦがＦＡＸ番号を含んでいない場合には、表示制御部１３１を用いて、連絡先情報ＩＮＦがＦＡＸ番号を含んでいない旨をユーザに通知する。また、宛先決定部２３４は、連絡先情報ＩＮＦが１つのＦＡＸ番号を含んでいる場合には、そのＦＡＸ番号を、使用するＦＡＸ番号として決定する。また、宛先決定部２３４は、連絡先情報ＩＮＦが複数のＦＡＸ番号を含んでいる場合には、表示制御部１３１および入力制御部１３２を用いて、どのＦＡＸ番号を使用するかをユーザに選択させ、ユーザからの指示に基づいて、使用するＦＡＸ番号を決定するようになっている。
【０１２１】
機能切替部２３５は、ユーザの操作に基づいて選択された機能に応じて、画像処理装置４０の機能を切り替えるものである。具体的には、機能切替部２３５は、画像処理装置４０がScanToEmail機能を実行する場合には、表示制御部１３１を用いて、ScanToEmail機能を提供する操作画面を操作パネル３１の表示部３１Ａに表示させる。また、機能切替部２３５は、画像処理装置４０がScanToFAX機能を実行する場合には、表示制御部１３１を用いて、ScanToFAX機能を提供する操作画面を操作パネル３１の表示部３１Ａに表示させるようになっている。
【０１２２】
図２０は、スマートフォン１０が画像処理装置４０のＮＦＣリーダライタ３２にかざされた後の、画像処理装置４０の一動作例を表すものである。
【０１２３】
まず、宛先決定部２３４は、ユーザが画像処理装置４０の操作パネル３１を操作することにより選択された機能を確認する（ステップＳ２２１）。選択された機能が、ScanToEmail機能である場合（ステップＳ２２１において“ScanToEmail機能”）には、ステップＳ２２２に進み、選択された機能が、ScanToFAX機能である場合（ステップＳ２２１において“ScanToFAX機能”）には、ステップＳ２２８に進む。
【０１２４】
ステップＳ２２１において、ScanToEmail機能が選択された場合には、宛先決定部２３４は、連絡先情報ＩＮＦに含まれる機能識別データＤＴ２に基づいて、スマートフォン１０から供給された連絡先情報ＩＮＦが電子メールアドレスを含んでいるかどうかを確認する（ステップＳ２２２）。連絡先情報ＩＮＦが電子メールアドレスを含んでいない場合（ステップＳ２２２において“Ｎ”）には、画像処理装置４０の表示部３１Ａは、表示制御部１３１からの指示に基づいて、連絡先情報ＩＮＦが電子メールアドレスを含んでいない旨の警告画面を表示し（ステップＳ２２３）、このフローは終了する。
【０１２５】
ステップＳ２２２において、連絡先情報ＩＮＦが電子メールアドレスを含んでいる場合（ステップＳ２２２において“Ｙ”）には、宛先決定部２３４は、連絡先情報ＩＮＦに含まれる機能識別データＤＴ２に基づいて、連絡先情報ＩＮＦに含まれる電子メールアドレスが１つだけであるかどうかを確認する（ステップＳ２２４）。
【０１２６】
ステップＳ２２４において、連絡先情報ＩＮＦが複数の電子メールアドレスを含んでいる場合（ステップＳ２２４において“Ｎ”）には、画像処理装置４０の表示部３１Ａは、表示制御部１３１からの指示に基づいて、電子メールアドレス選択画面Ｐ３２（図１１）を表示する（ステップＳ２２５）。
【０１２７】
次に、宛先決定部２３４は、ScanToEmail機能の宛先設定を行う（ステップＳ２２６）。具体的には、宛先決定部２３４は、ステップＳ２２４において、連絡先情報ＩＮＦが１つの電子メールアドレスを含んでいる場合には、その電子メールアドレスを、ScanToEmail機能の宛先として設定する。また、宛先決定部２３４は、ステップＳ２２４において、連絡先情報ＩＮＦが複数の電子メールアドレスを含んでいる場合には、ステップＳ２２５において決定された電子メールアドレスを、ScanToEmail機能の宛先として設定する。
【０１２８】
そして、機能切替部２３５は、画像処理装置４０の機能をScanToEmail機能に切り替え、画像処理装置４０の表示部３１Ａは、表示制御部１３１からの指示に基づいて、ScanToEmail機能の操作画面Ｐ３３（図１２）を表示する（ステップＳ２２７）。宛先欄１７５には、ステップＳ２２６において宛先決定部２３４により設定された宛先が自動的に入力される。そして、ユーザが“送信”ボタン１７６を操作すると、画像処理装置４０がScanToEmail機能を実行する。
【０１２９】
これにより、画像処理装置４０では、画像読取部３５が、紙などの読取媒体に記録された情報を読み取ることにより画像データを生成し、ネットワーク通信部３３が、この画像データを、電子メールを用いて送信する。以上でこのフローは終了する。
【０１３０】
ステップＳ２２１において、ScanToFAX機能が選択された場合には、宛先決定部２３４は、連絡先情報ＩＮＦに含まれる機能識別データＤＴ２に基づいて、スマートフォン１０から供給された連絡先情報ＩＮＦがＦＡＸ番号を含んでいるかどうかを確認する（ステップＳ２２８）。連絡先情報ＩＮＦがＦＡＸ番号を含んでいない場合（ステップＳ２２８において“Ｎ”）には、画像処理装置４０の表示部３１Ａは、表示制御部１３１からの指示に基づいて、連絡先情報ＩＮＦがＦＡＸ番号を含んでいない旨の警告画面を表示し（ステップＳ２２９）、このフローは終了する。
【０１３１】
ステップＳ２２８において、連絡先情報ＩＮＦがＦＡＸ番号を含んでいる場合（ステップＳ２２８において“Ｙ”）には、宛先決定部２３４は、連絡先情報ＩＮＦに含まれる機能識別データＤＴ２に基づいて、連絡先情報ＩＮＦに含まれるＦＡＸ番号が１つだけであるかどうかを確認する（ステップＳ２３０）。
【０１３２】
ステップＳ２３０において、連絡先情報ＩＮＦが複数のＦＡＸ番号を含んでいる場合（ステップＳ２３０において“Ｎ”）には、画像処理装置４０の表示部３１Ａは、表示制御部１３１からの指示に基づいて、ＦＡＸ番号選択画面Ｐ３４（図１３）を表示する（ステップＳ２３１）。
【０１３３】
次に、宛先決定部２３４は、ScanToFAX機能の宛先設定を行う（ステップＳ２３２）。具体的には、宛先決定部２３４は、ステップＳ２３０において、連絡先情報ＩＮＦが１つのＦＡＸ番号を含んでいる場合には、そのＦＡＸ番号を、ScanToFAX機能の宛先として設定する。また、宛先決定部２３４は、ステップＳ２３０において、連絡先情報ＩＮＦが複数のＦＡＸ番号を含んでいる場合には、ステップＳ２３１において決定されたＦＡＸ番号を、ScanToFAX機能の宛先として設定する。
【０１３４】
そして、機能切替部２３５は、画像処理装置４０の機能をScanToFAX機能に切り替え、画像処理装置４０の表示部３１Ａは、表示制御部１３１からの指示に基づいて、ScanToFAX機能の操作画面Ｐ３５（図１５）を表示する（ステップＳ２３３）。宛先欄１７５には、ステップＳ２３２において宛先決定部２３４により設定された宛先が自動的に入力される。そして、ユーザが“送信”ボタン１８６を操作すると、画像処理装置４０がScanToFAX機能を実行する。
【０１３５】
これにより、画像処理装置４０では、画像読取部３５が、紙などの読取媒体に記録された情報を読み取ることにより画像データを生成し、ＦＡＸ通信部３４が、この画像データを、ＦＡＸを用いて送信する。以上でこのフローは終了する。
【０１３６】
以上のように、画像処理システム２では、ユーザに、あらかじめ画像処理装置４０の操作パネル３１を操作させることにより、実行すべき機能を選択させるようにした。そして、その後に、ユーザに、スマートフォン１０を、画像処理装置４０のＮＦＣリーダライタ３２にかざさせ、画像処理装置４０が、スマートフォン１０から供給された連絡先情報ＩＮＦに基づいて、操作画面の宛先欄に宛先情報を自動的に入力するようにした。その結果、画像処理システム２では、ユーザが宛先情報を入力する手間が省けるので、ユーザの利便性を高めることができる。
【０１３７】
以上のように本実施の形態では、ユーザに、あらかじめ画像処理装置の操作パネルを操作させることにより、実行すべき機能を選択させるとともに、画像処理装置が、スマートフォンから供給された連絡先情報に基づいて、操作画面の宛先欄に宛先情報を自動的に入力するようにしたので、ユーザの利便性を高めることができる。
【０１３８】
［変形例２−１］
上記実施の形態では、スマートフォン１０が、選択された登録者の連絡先についての情報に基づいて連絡先情報ＩＮＦを生成し、この連絡先情報ＩＮＦを画像処理装置４０に供給したが、これに限定されるものではない。これに代えて、例えば、スマートフォン１０は、画像処理装置４０において、ユーザにより選択された機能にも基づいて、連絡先情報ＩＮＦを生成してもよい。以下に、本変形例に係る画像処理システム２Ｅについて、詳細に説明する。画像処理システム２Ｅは、スマートフォン１０Ｅと、画像処理装置４０Ｅとを備えている。
【０１３９】
スマートフォン１０ＥのＣＰＵ１９において実行されるアプリケーションソフトウェア１１０Ｅは、送信制御部１１４Ｅを有している。送信制御部１１４Ｅは、スマートフォン１０Ｅにおいてユーザに選択された登録者の連絡先についての情報、および画像処理装置４０Ｅにおいてユーザにより選択された機能に基づいて、連絡先情報ＩＮＦを生成するものである。そして、この送信制御部１１４Ｅは、ＮＦＣ通信部２１の動作を制御することにより、この連絡先情報ＩＮＦを画像処理装置４０Ｅに供給するようになっている。
【０１４０】
図２１は、画像処理装置４０ＥのＣＰＵ３７Ａにおいて実行されるソフトウェア２３０Ｅの一構成例を表すものである。ソフトウェア２３０Ｅは、連絡先情報要求部２３６Ｅを有している。連絡先情報要求部２３６Ｅは、ＮＦＣリーダライタ３２の動作を制御することにより、ユーザの操作に基づいて選択された機能に対応する連絡先情報ＩＮＦを生成するように、スマートフォン１０Ｅに対して要求するものである。具体的には、連絡先情報要求部２３６Ｅは、ユーザの操作に基づいて選択された機能が、ScanToEmail機能である場合には、電子メールアドレスを含む連絡先情報ＩＮＦを生成するように、スマートフォン１０Ｅに対して要求する。また、連絡先情報要求部２３６Ｅは、ユーザの操作に基づいて選択された機能が、ScanToFAX機能である場合には、ＦＡＸ番号を含む連絡先情報ＩＮＦを生成するように、スマートフォン１０Ｅに対して要求するようになっている。
【０１４１】
図２１は、スマートフォン１０Ｅの一動作例を表すものである。
【０１４２】
まず、ユーザがスマートフォン１０Ｅを操作して、アプリケーションソフトウェア１１０Ｅを起動すると、スマートフォン１０Ｅの表示部１１は、表示制御部１１１からの指示に基づいて、メイン画面Ｐ１１（図６）を表示する（ステップＳ１０１）。
【０１４３】
次に、入力制御部１１２は、“宛先を送信”ボタン１５３が操作されたかどうかを確認する（ステップＳ１０２）。“宛先を送信”ボタン１５３以外のボタンが操作された場合（ステップＳ１０２において“Ｎ”）には、操作されたボタンに応じた処理を行い（ステップＳ１１１）、このフローは終了する。
【０１４４】
ステップＳ１０２において、“宛先を送信”ボタン１５３が操作され、“宛先を送信”が選択された場合（ステップＳ１０２において“Ｙ”）には、情報取得部１１３は、ＲＯＭ１７の連絡先リスト１７Ａから、各登録者についての情報を取得し（ステップＳ１０３）、スマートフォン１０Ｅの表示部１１は、表示制御部１１１からの指示に基づいて、連絡先一覧画面Ｐ１２（図７）を表示する（ステップＳ１０４）。
【０１４５】
次に、入力制御部１１２は、連絡先が選択されたかどうかを確認し（ステップＳ１０５）、連絡先が選択されるまで、このステップＳ１０５を繰り返す。そして、連絡先が選択された場合（ステップＳ１０５において“Ｙ”）には、スマートフォン１０Ｅの表示部１１は、表示制御部１１１からの指示に基づいて、ユーザに対して、スマートフォン１０Ｅを画像処理装置４０ＥのＮＦＣリーダライタ３２にかざすことを促す指示画面を表示する（ステップＳ２０７）。
【０１４６】
そして、スマートフォン１０Ｅが画像処理装置４０ＥのＮＦＣリーダライタ３２にかざされた場合（ステップＳ１０８において“Ｙ”）に、送信制御部１１４Ｅは、画像処理装置４０Ｅからの指示に基づいて、連絡先情報ＩＮＦを生成する（ステップＳ２０９）。具体的には、送信制御部１１４Ｅは、例えば、画像処理装置４０Ｅから、電子メールアドレスを含む連絡先情報ＩＮＦを生成するように要求された場合には、選択された登録者の連絡先についての情報のうちの電子メールアドレスについての情報に基づいて、連絡先情報ＩＮＦを生成する。選択された登録者の連絡先についての情報に、電子メールアドレスについての情報が含まれていない場合には、空の連絡先情報ＩＮＦを生成する。また、送信制御部１１４Ｅは、例えば、画像処理装置４０Ｅから、ＦＡＸ番号を含む連絡先情報ＩＮＦを生成するように要求された場合には、選択された登録者の連絡先についての情報のうちのＦＡＸ番号についての情報に基づいて、連絡先情報ＩＮＦを生成する。選択された登録者の連絡先についての情報に、ＦＡＸ番号についての情報が含まれていない場合には、空の連絡先情報ＩＮＦを生成する。
【０１４７】
そして、ＮＦＣ通信部２１は、この連絡先情報ＩＮＦを、画像処理装置４０ＥのＮＦＣリーダライタ３２に対して供給する（ステップＳ２１０）。以上で、このフローは終了する。
【０１４８】
図２３は、スマートフォン１０Ｅが画像処理装置４０ＥのＮＦＣリーダライタ３２にかざされた後の、画像処理装置４０Ｅの一動作例を表すものである。
【０１４９】
まず、宛先決定部２３４は、ユーザが画像処理装置４０の操作パネル３１を操作することにより選択された機能を確認する（ステップＳ２２１）。選択された機能が、ScanToEmail機能である場合（ステップＳ２２１において“ScanToEmail機能”）には、ステップＳ２４１に進み、選択された機能が、ScanToFAX機能である場合（ステップＳ２２１において“ScanToFAX機能”）には、ステップＳ２４３に進む。
【０１５０】
ステップＳ２２１において、ScanToEmail機能が選択された場合には、連絡先情報要求部２３６Ｅは、ＮＦＣリーダライタ３２の動作を制御することにより、電子メールアドレスを含む連絡先情報ＩＮＦを生成するように、スマートフォン１０Ｅに対して要求する（ステップＳ２４１）。その後に、ＮＦＣリーダライタ３２は、スマートフォン１０Ｅから供給された連絡先情報ＩＮＦを取得する（ステップＳ２４２）。
【０１５１】
次に、宛先決定部２３４は、連絡先情報ＩＮＦに含まれる機能識別データＤＴ２に基づいて、スマートフォン１０から供給された連絡先情報ＩＮＦが電子メールアドレスを含んでいるかどうかを確認する（ステップＳ２２２）。連絡先情報ＩＮＦが電子メールアドレスを含んでいない場合（ステップＳ２２２において“Ｎ”）には、画像処理装置４０Ｅの表示部３１Ａは、表示制御部１３１からの指示に基づいて、連絡先情報ＩＮＦが電子メールアドレスを含んでいない旨の警告画面を表示し（ステップＳ２２３）、このフローは終了する。
【０１５２】
ステップＳ２２２において、連絡先情報ＩＮＦが電子メールアドレスを含んでいる場合（ステップＳ２２２において“Ｙ”）には、宛先決定部２３４は、連絡先情報ＩＮＦに含まれる機能識別データＤＴ２に基づいて、連絡先情報ＩＮＦに含まれる電子メールアドレスが１つだけであるかどうかを確認する（ステップＳ２２４）。
【０１５３】
ステップＳ２２４において、連絡先情報ＩＮＦが複数の電子メールアドレスを含んでいる場合（ステップＳ２２４において“Ｎ”）には、画像処理装置４０Ｅの表示部３１Ａは、表示制御部１３１からの指示に基づいて、電子メールアドレス選択画面Ｐ３２（図１１）を表示する（ステップＳ２２５）。
【０１５４】
次に、宛先決定部２３４は、ScanToEmail機能の宛先設定を行う（ステップＳ２２６）。そして、機能切替部２３５は、画像処理装置４０Ｅの機能をScanToEmail機能に切り替え、画像処理装置４０Ｅの表示部３１Ａは、表示制御部１３１からの指示に基づいて、ScanToEmail機能の操作画面Ｐ３３（図１２）を表示する（ステップＳ２２７）。宛先欄１７５には、ステップＳ２２６において宛先決定部２３４により設定された宛先が自動的に入力される。以上でこのフローは終了する。
【０１５５】
ステップＳ２２１において、ScanToFAX機能が選択された場合には、連絡先情報要求部２３６Ｅは、ＮＦＣリーダライタ３２の動作を制御することにより、ＦＡＸ番号を含む連絡先情報ＩＮＦを生成するように、スマートフォン１０Ｅに対して要求する（ステップＳ２４３）。その後に、ＮＦＣリーダライタ３２は、スマートフォン１０Ｅから供給された連絡先情報ＩＮＦを取得する（ステップＳ２４４）。
【０１５６】
次に、宛先決定部２３４は、連絡先情報ＩＮＦに含まれる機能識別データＤＴ２に基づいて、スマートフォン１０から供給された連絡先情報ＩＮＦがＦＡＸ番号を含んでいるかどうかを確認する（ステップＳ２２８）。連絡先情報ＩＮＦがＦＡＸ番号を含んでいない場合（ステップＳ２２８において“Ｎ”）には、画像処理装置４０Ｅの表示部３１Ａは、表示制御部１３１からの指示に基づいて、連絡先情報ＩＮＦがＦＡＸ番号を含んでいない旨の警告画面を表示し（ステップＳ２２９）、このフローは終了する。
【０１５７】
ステップＳ２２８において、連絡先情報ＩＮＦがＦＡＸ番号を含んでいる場合（ステップＳ２２８において“Ｙ”）には、宛先決定部２３４は、連絡先情報ＩＮＦに含まれる機能識別データＤＴ２に基づいて、連絡先情報ＩＮＦに含まれるＦＡＸ番号が１つだけであるかどうかを確認する（ステップＳ２３０）。
【０１５８】
ステップＳ２３０において、連絡先情報ＩＮＦが複数のＦＡＸ番号を含んでいる場合（ステップＳ２３０において“Ｎ”）には、画像処理装置４０Ｅの表示部３１Ａは、表示制御部１３１からの指示に基づいて、ＦＡＸ番号選択画面Ｐ３４（図１３）を表示する（ステップＳ２３１）。
【０１５９】
次に、宛先決定部２３４は、ScanToFAX機能の宛先設定を行う（ステップＳ２３２）。そして、機能切替部２３５は、画像処理装置４０Ｅの機能をScanToFAX機能に切り替え、画像処理装置４０Ｅの表示部３１Ａは、表示制御部１３１からの指示に基づいて、ScanToFAX機能の操作画面Ｐ３５（図１５）を表示する（ステップＳ２３３）。宛先欄１７５には、ステップＳ２３２において宛先決定部２３４により設定された宛先が自動的に入力される。以上でこのフローは終了する。
【０１６０】
［変形例２−２］
上記実施の形態に係る画像処理システム２に、上記第１の実施の形態の変形例を適用してもよい。
【０１６１】
以上、いくつかの実施の形態および変形例を挙げて本技術を説明したが、本技術はこれらの実施の形態等には限定されず、種々の変形が可能である。
【０１６２】
例えば、上記の各実施の形態では、スマートフォン１０を用いて画像処理システムを構成したが、これに限定されるものではなく、例えば、タブレットやＰＤＡ（Personal Digital Assistant）などの様々なモバイル端末を用いることができる。
【符号の説明】
【０１６３】
１，１Ａ，１Ｂ，１Ｃ，１Ｄ，２，２Ｅ…画像処理システム、１０，１０Ｃ，１０Ｄ，１０Ｅ…スマートフォン、１１…表示部、１２…操作部、１３…スピーカ、１４…振動部、１５…インタフェース、１６…ＲＡＭ、１７…ＲＯＭ、１７Ａ…連絡先リスト、２１…ＮＦＣ通信部、２２…ネットワーク通信部、２３…電話通信部、３０，３０Ａ，３０Ｂ，４０，４０Ｅ…画像処理装置、３１…操作パネル、３１Ａ…表示部、３１Ｂ…操作部、３２…ＮＦＣリーダライタ、３３…ネットワーク通信部、３４…ＦＡＸ通信部、３５…画像読取部、３６…画像形成部、３７，４７…コントローラ、３７Ａ…ＣＰＵ、３７Ｂ…ＲＡＭ、３７Ｃ…ＲＯＭ、３７Ｄ…ＡＳＩＣ、３７Ｅ…バス、１１０，１１０Ｃ，１１０Ｄ…アプリケーションソフトウェア、１１１…表示制御部、１１２…入力制御部、１１３…情報取得部、１１４，１１４Ｄ…送信制御部、１１５Ｃ…通知部、１１６Ｄ…機能判定部、１１７Ｄ…宛先決定部、１３０，１３０Ａ，１３０Ｂ，２３０，２３０Ｅ…ソフトウェア、１３１…表示制御部、１３２…入力制御部、１３３…機能判定部、１３４，２３４…宛先決定部、１３５，２３５…機能切替部、１３６Ａ…ログ記録部、１３７Ｂ…通知部、２３６Ｅ…連絡先情報要求部、Ｃ１…近距離無線通信、ＩＮＦ…連絡先情報、Ｐ１１…メイン画面、Ｐ１２…連絡先一覧画面、Ｐ１３…指示画面、Ｐ３１…機能選択画面、Ｐ３２…電子メールアドレス選択画面、Ｐ３３…操作画面、Ｐ３４…ＦＡＸ番号選択画面、Ｐ３５…操作画面。
【図１】
2019062349.tif 000003
【図２】
2019062349.tif 000004
【図３】
2019062349.tif 000005
【図４】
2019062349.tif 000006
【図５】
2019062349.tif 000007
【図６】
2019062349.tif 000008
【図７】
2019062349.tif 000009
【図８Ａ】
2019062349.tif 000010
【図８Ｂ】
2019062349.tif 000011
【図９】
2019062349.tif 000012
【図１０】
2019062349.tif 000013
【図１１】
2019062349.tif 000014
【図１２】
2019062349.tif 000015
【図１３】
2019062349.tif 000016
【図１４】
2019062349.tif 000017
【図１５】
2019062349.tif 000018
【図１６】
2019062349.tif 000019
【図１７】
2019062349.tif 000020
【図１８】
2019062349.tif 000021
【図１９】
2019062349.tif 000022
【図２０】
2019062349.tif 000023
【図２１】
2019062349.tif 000024
【図２２】
2019062349.tif 000025
【図２３】
2019062349.tif 000026